(57)【特許請求の範囲】
【請求項１】
寝かせた状態の乳児の姿勢を保持する保持部材と、
前記保持部材に接続されると共に、装着者の肩に斜め掛けされる肩ベルトと
を備え、
前記保持部材は、前記乳児の幅方向の両側に、前記肩ベルトの一方及び他方の端部が連結される連結部を有し、
前記連結部は、前記乳児の身長方向に沿って延伸した帯状とされると共にその両端が前記保持部材に固定され、
前記肩ベルトの前記一方及び他方の端部は、前記連結部に沿ってスライド可能である
ことを特徴とする横抱き用子守帯。
【請求項２】
前記肩ベルトと前記連結部を含む前記保持部材に接続される補助ベルトを有し、
前記補助ベルトの前記保持部材に接続された部分、並びに、前記一方及び他方の端部の三点を結ぶ仮想線が三角形状とされる
ことを特徴とする請求項１に記載の横抱き用子守帯。
【請求項３】
前記連結部は、装着者が把持できる幅寸法とされていることを特徴とする請求項１又は２に記載の横抱き用子守帯。
【請求項４】
前記連結部は、前記乳児の身長方向における中央部が前記保持部材に貼着し、位置決め可能とされてなることを特徴とする請求項１乃至３のいずれかに記載の横抱き用子守帯。
【請求項５】
前記連結部の前記乳児の頭部側に連結された前記一方の端部または前記他方の端部は、前記連結部における前記乳児の幅方向の前記装着者側に配置されることを特徴とする請求項１乃至４のいずれかに記載の横抱き用子守帯。
【発明の詳細な説明】
【技術分野】
【０００１】
本発明は、横抱き用子守帯に関する。
【背景技術】
【０００２】
従来から、乳幼児を抱っこする手段として子守帯がよく用いられているが、生後間もない乳児については未だ首がすわっていないため、子守帯は、乳児を寝かした状態、所謂横抱き状態で保持するようになっている。
例えば、特許文献１の子守帯では、その図１に示すように、乳児を寝かせた状態で保持する保持部材１００と、リュックサックのベルトのように装着者の両肩に掛けられる肩ベルト２１０，２１１とを有している。
【０００３】
この従来の子守帯では、所謂横抱き状態にするために、以下の作業が行われる。
即ち、図１の右肩に掛けられる肩ベルト２１０に設けられた雌型バックル２１４に、保持部材１００のヘッドサポート１２０から延びるベルト１２２に設けられた雄型バックル１２４を連結させる。
また、左肩に掛けられた肩ベルト２１１に設けられた雌型バックル２１５に、保持部材１００のヘッドサポート１２１から延びるベルト１２３に設けられた雄型バックル１２５を連結させる。
また、乳児の股部を通過させた帯状支持部材１２８に接続されたベルト１２９の先端に設けられたフック部材１３０Ｂを、右肩に掛けられた肩ベルト２１０に設けられたループ２１８に係合させる。
また、乳児の下腹部を保護するため、腹部保持部材１１３に設けられたベルト１１５に取り付けられたフック部材１１７を、保持部材１１０に設けられたリング状部１３２に係合させる。このようなフック部材やリング状部は、特許文献１の図１では乳児の左側しか図示されていないが、右側にも存在し、左側と同様に係合させる。
【先行技術文献】
【特許文献】
【０００４】
【特許文献１】特開２００３−１１１６４７号公報
【発明の概要】
【発明が解決しようとする課題】
【０００５】
ところで、母親等の装着者の利き腕の問題や、装着者の疲れを軽減する等の理由から、乳児の頭部を母親の左腕側に配置したり、右腕側に配置したりして、乳児の配置を変えることがある。例えば、特許文献１の図１では、乳児の頭が母親の左腕側に配置する場合を示しているが、上述した各雌及び雄バックル２１４，２１５、フック部材１３０Ｂ，１１７、等を一旦取り外して、これら各雌及び雄バックル等を連結させる位置を左右逆にして同様に連結させることで、乳児の頭を母親の右腕側に配置することができる。
しかしながら、ベルトの種類や各バックル・フック部材の数が多いため、乳児の配置を変えることは決して容易ではない。そして、このことは、連結すべきバックル等の位置を間違えて、乳児の落下を招く原因ともなる。
そこで、本発明は、乳児の配置を容易に変えることができる横抱き用の子守帯を提供することを目的とする。
【課題を解決するための手段】
【０００６】
上記課題は、寝かせた状態の乳児の姿勢を保持する保持部材と、前記保持部材に接続されると共に、装着者の肩に斜め掛けされる肩ベルトとを備え、前記保持部材は、前記乳児の幅方向の両側に、前記肩ベルトの一方及び他方の端部が連結される連結部を有し、前記連結部は、前記乳児の身長方向に沿って延伸した帯状とされると共にその両端が前記保持部材に固定され、前記肩ベルトの前記一方及び他方の端部は、前記連結部に沿ってスライド可能である横抱き用子守帯により解決される。
【０００７】
上記構成によれば、寝かせた状態の乳児の姿勢を保持する保持部材と、保持部材に両端部が接続されると共に、装着者の肩に斜め掛けされる肩ベルトとを備え、保持部材は、乳児の幅方向の両側に、肩ベルトの一方及び他方の端部が連結される連結部を有している。従って、装着者は乳児を保持部材の上に寝かせて、肩ベルトを斜め掛けすれば、肩ベルトで保持部材を支持して、所謂横抱きをすることができる。
なお、上述の「肩ベルトの一方及び他方の端部」とは、肩ベルトの長手方向の両側の縁部だけを意味するものではなく、肩ベルトの長手方向の中央部を除く領域を意味する。また、「幅方向の両側」とは、幅方向について中心よりも一方側と他方側を意味するものであり、幅方向の両端部を意味するものではない。
ここで、この幅方向の両側に設けられた連結部は、乳児の身長方向に沿って延伸した帯状とされると共に、その両端が保持部材に固定されている。そして、肩ベルトの一方及び他方の端部は、この連結部に沿ってスライド可能である。従って、例えば、肩ベルトの一方の端部を乳児の頭部側に、他方の端部を乳児の臀部側にそれぞれ配置した使用状態から、乳児の頭部の位置を左右逆にしたい場合は、肩ベルトの一方の端部を乳児の頭部側から臀部側に、他方の端部を乳児の臀部側から頭部側に、それぞれスライドさせた上で、肩ベルトを斜め掛けすればよい。
かくして、多数のバックルを外したり付けたりすることなく、容易に乳児の頭部の位置を変えることができる。
【０００８】
また、好ましくは、前記肩ベルトと前記連結部を含む前記保持部材に接続される補助ベルトを有し、前記補助ベルトの前記保持部材に接続された部分、並びに、前記一方及び他方の端部の三点を結ぶ仮想線が三角形状とされることを特徴とする。
従って、保持部材を三点で支持して、安定した横抱き状態を保持できる。
【０００９】
また、好ましくは、前記連結部は、装着者が把持できる幅寸法とされていることを特徴とする。
従って、装着者は連結部を把持して保持部材を支持し、より安定した横抱き状態を保持できる。
【００１０】
また、好ましくは、前記連結部は、前記乳児の身長方向における中央部が前記保持部材に貼着し、位置決め可能とされてなることを特徴とする。
このため、連結部の中央部を保持部材に貼着させて、連結部を保持部材に対してより強く固定することができ、例えば、肩ベルトが接続された連結部が撚れる等の好ましくない状態を防止し、より安定した横抱き姿勢を保持できる。
また、この連結部の中央部は保持部材に対して貼着を解除することも可能であるため、連結部の中央部を保持部材から分離させて、肩ベルトの一方及び他方の端部を連結部に沿ってスライドさせることができる。
【００１１】
また、好ましくは、前記連結部の前記乳児の頭部側に連結された前記一方の端部または前記他方の端部は、前記連結部における前記乳児の幅方向の前記装着者側に配置されることを特徴とする。
従って、乳児の頭部側に連結された肩ベルトが乳児の幅方向の装着者側に配置されて、肩に斜め掛けされるため、例えば装着者が乳児の顔を視認する際、肩ベルトがその視認の邪魔になることはなく、乳児と装着者とのスキンシップを図ることができる。
【発明の効果】
【００１２】
以上より、本発明によれば、乳児の配置を容易に変えることができる横抱き用の子守帯を提供することができる。
【図面の簡単な説明】
【００１３】
【図１】本発明の第１の実施形態に係る子守帯であって、上面側及び頭部パッド側から視認した斜視図。
【図２】図１の子守帯の上面側及び臀部パッド側から視認した斜視図。
【図３】図３（Ａ）は図１の子守帯の下面側を示す図であり、図３（Ｂ）は図３（Ａ）の状態から肩ベルトをスライドさせた状態を示す図。
【図４】図１の概略Ａ−Ａ断面図。
【図５】図１の概略Ｂ−Ｂ断面図
【図６】図１の子守帯の臀部パッド付近の図。
【図７】図３（Ａ）の概略Ｃ−Ｃ断面図。
【図８】図３の肩ベルトの中央部を捲った状態図。
【図９】図１の補助ベルトが連結部に接続されている状態図（図３（Ａ）のＤ矢視図）。
【図１０】図１の子守帯の使用方法を説明する図であり、図１０（Ａ）は保持部材に乳児を乗せた図、図１０（Ｂ）は図１０（Ａ）に引き続き、乳児の腹部周りを固定させる図。
【図１１】図１０に引き続く使用方法の説明図であり、図１１（Ａ）は補助ベルトを取り付けている図、図１１（Ｂ）は図１１（Ａ）に引き続き、肩ベルトに肩を入れて、連結部を把持する図。なお、図１１（Ａ）の一点鎖線で囲った図は、装着者の手元付近を拡大した図。
【図１２】図１１に引き続く使用方法の説明図であり、乳児を横抱きした状態を示す図。
【図１３】図１２の乳児の頭部を左右逆にして、乳児を横抱きした状態を示す図。
【図１４】図１の子守帯の片付け方法を説明する図であり、図１４（Ａ）は子守帯の展開図、図１４（Ｂ）は図１４（Ａ）に引き続き、肩ベルト等を臀部パッドの上にまとめた図。
【図１５】図１４に引き続く片付け方法の説明図であり、図１５（Ａ）は頭部パッドで肩ベルト等を覆った図、図１５（Ｂ）は図１５（Ａ）に引き続き、腹保持部を固定する図。
【図１６】本発明の第２の実施形態に係る子守帯であって、上面側から視認した斜視図。
【図１７】図１６の子守帯の下面図。
【図１８】図１７の連結部の部分拡大斜視図。
【図１９】図１６の子守帯の使用状態を示す図。
【発明を実施するための形態】
【００１４】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下に述べる「上面」は乳児が載置される面で、使用時における上側の面をいい、「下面」はその反対側の面で、使用時における下側の面をいう。
また、以下に述べる「幅方向」は特別な言及がない限り、子守帯に適正に仰向けに寝かせた状態の乳児の幅方向をいう。
本各実施形態に係る子守帯は、寝かせた状態の乳児の姿勢を保持しながら抱っこをする（所謂、横抱きする）ための横抱き専用の子守帯である。このような子守帯は、目安としては、新生児（０か月頃）から首がすわるまでの４か月頃まで使用される。
【００１５】
〔第１の実施形態〕
図１〜図８は本発明の第１の実施形態に係る子守帯１０である。
なお、図１は後述する腹保持部４５を展開した状態、図２は腹保持部４５を閉じた状態、図６は腹保持部４５の内、後述するカバー４９を展開した状態を示している。
また、図１及び図３は、後述する補助ベルト６５と肩ベルト５０とを連結させていない状態、図２は補助ベルト６５と肩ベルト５０とを連結させた状態を示している。
これらの図の子守帯１０は、寝かせた状態の乳児の姿勢を保持する保持部材２０と、この保持部材２０に接続されると共に、装着者の肩に斜め掛けされる肩ベルト５０とを有している。
【００１６】
〔保持部材について〕
先ず、保持部材２０の概要を、図１、図２、図４〜図６を用いて説明する。
保持部材２０は、乳児の頭部から臀部までを連続して保持するシート状であり、図２に示すように、乳児の脚の付け根ＧＲより先の脚部ＬＧは保持されない。従って、乳児が足で保持部材２０を蹴るようなことはなく、保持部材２０上の乳児の位置ずれを防止している。
保持部材２０は、乳児の頭部が載置される頭部パッド２１、乳児の背中が載置される背中パッド３０、乳児の臀部が載置される臀部パッド４０が一体的に形成されている。
これら頭部パッド２１，背中パッド３０，臀部パッド４０の夫々の中には、板部材２２，３１が配置されている。板部材２２，３１は、乳児の姿勢を保持し易くする部材であり、若干の可撓性を有すると共に、硬度の高い材料（例えば、合成樹脂板や金属板）が用いられている。
このような硬い板部材２２，３１は、各パッド２１，３０，４０を通すように連続して設けられてはおらず、頭部パッド２１と背中用パッド３０との境目２３には板部材は配置されていない。このため、境目２３は板部材２２，３１が配置された部分に比べて曲がり易く、板部材３１の可撓性も加わって、保持部材２０に乗せられた乳児は多少丸まって寝た状態となる。従って、母親の胎内にいた際の状態を引きずり、丸まることが得意な乳児は比較的に楽な姿勢で寝ることができる。
なお、本実施形態では、背中パッド３０と臀部パッド４０の中には一体的に形成された板部材３１が通して配置されている。
また、本実施形態の板部材２２と板部材３１は別部材とされているが、本発明はこれに限られず、一体的に形成されたものでもよい。その際、板部材２２と板部材３１との境目２３を薄肉として、曲がり易くすると好ましい。
【００１７】
頭部パッド２１は、首がすわっていない乳児の頭部を安定して保持すると共に衝撃を吸収する部材であるのが好ましい。
具体的には、図１、及び図１のＡ−Ａ断面図である図４に示すように、リング状又は枠状の板部材２２を、綿やスポンジ等のクッション材（より好ましくは、ウレタンフォーム等の低反発弾性フォーム）１３で包み込み、そのクッション材１３をさらにカバー体１４，１５で覆っている。なお、上面のカバー体１４と下面のカバー体１５とは材質が異なり、上面のカバー体１４は下面のカバー体１５に比べて滑り難い素材（例えば、フランネル、スエード、ベロア等の起毛素材）から形成されている。
頭部パッド２１には、板部材２２が幅方向Ｘの中央部に配置され、幅方向Ｘの両端部２１ａ，２１ｂには配置されていない。この両端部２１ａ，２１ｂは、使用時に乳児の側頭部を保護するように起立する部分であり、頭部を置く部分（以下、「頭部載置部」という）２１ｃとの境目２４は、上面のカバー体１４と下面のカバー体１５とが縫合されて、屈曲し易い屈曲可能部とされている。
【００１８】
頭部を置く頭部載置部２１ｃは、図４に示すように、凹凸部を有している。この図４の凹凸部のうち凸部２７は、主に、乳児の後頭部ＢＨと側頭部ＳＨとの境界付近を保持するための部分である。この凸部２７は、図１及び図２に示すように、正面視において、凹部２６を取り囲むリング状又は枠状であって、二点鎖線の部分２８が山の稜線となるようにして上側に膨出している。なお、凸部２７の中には板部材２２が配置されている。
【００１９】
図４に示す凹部２６は乳児の後頭部ＢＨが位置する部分であり、板部材２２は配置されておらず、これにより、後頭部ＢＨの形状に対応して窪み易くなっている。
このような凹部２６は、乳児の後頭部ＢＨが触れたのみでは（後頭部ＢＨの重みをかけなければ）、後頭部ＢＨを収容しきれない大きさであり、後頭部ＢＨが置かれると、その重みにより内周側面２６ａが押し広げられるようにするのが好ましい。このように、頭部ＨＤの重みにより、凹部２６の内周側面２６ａが後頭部ＢＨの形状に合わせて沈みこむように（矢印Ｊの方向に沈みこんで、内周側面２６ａを押し広げるように）変形すると、頭部ＨＤはその大小に拘わらず、頭部パッド２１の当該変形した凹部２６の内面全体に密着し、首が据わらない乳児の後頭部を効果的に保持することができる。
なお、凹部２６には、通気性をよくするために、厚み方向に貫通した複数個の通気孔を形成してもよい。
【００２０】
図１に示す背中パッド３０は、乳児の胴体を支持する部分であり、頭部パッド２１と同様、図１のＢ−Ｂ断面図である図５に示すように、板部材３１を弾性変形可能なクッション材１３で包み込み、そのクッション材１３をさらにカバー体１４，１５で覆って形成されている。なお、背中パッド３０の板部材３１は、乳児の背中が置かれる幅方向中央部の背中載置部３０ｃのみに配置されている。
そして、背中パッド３０の幅方向Ｘの両端部３０ａ，３０ｂには板部材３１が配置されておらず、この両端部３０ａ，３０ｂと背中載置部３０ｃとの境目３４は、上面のカバー体１４と下面のカバー体１５とが縫合されて、屈曲し易い屈曲可能部とされている。これにより、両端部３０ａ，３０ｂは使用時に起立して、乳児の胴体部を包み込むように保持できる。
【００２１】
図１に示す臀部パッド４０は、乳児の臀部を支持する部分であり、頭部パッド２１や背中パッド３０と同様、板部材３１を弾性変形可能なクッション材で包み込み、そのクッション材をさらにカバー体で覆って形成されている。
図１の臀部パッド４０における板部材３１は、乳児の臀部が置かれる幅方向中央部の臀部載置部４０ｃにのみ、背中パッド３０の板部材３１が延伸して配置されている。幅方向Ｘの両端部４０ａ，４０ｂには板部材３１が配置されておらず、この両端部４０ａ，４０ｂと臀部載置部４０ｃとの境目４２は、上面のカバー体と下面のカバー体とが縫合されて、屈曲し易い屈曲可能部とされている。これにより、使用時に両端部４０ａ，４０ｂは起立して、乳児の臀部を包み込むように保持できる。
図２に示す臀部パッド４０の幅方向の最大寸法Ｘ１は、少なくとも図１に示す背中パッド３０の幅方向の最大寸法Ｘ２に比べて大きく形成され、これにより、紙おむつを穿いた乳児の大きい臀部に対応して当該臀部を保持できる。
【００２２】
また、図２に示すように、臀部パッド４０は、乳児の脚の付け根ＧＲ付近までが載置され、それより先の脚部ＬＧは載置されない形状とされている。
具体的には、臀部パッド４０は、幅方向Ｘ１の寸法が、図１及び図２に示すように、最大寸法の位置Ｐ１から長手方向Ｙの先端部（背中パッド３０とは反対側の先端部）４０ｄに向かうに従って除々に小さくなっている。
なお、図１に示すように、臀部パッド４０は長手方向Ｙの先端部４０ｄに板部材３１が配置されておらず、このため、図２に示すように先端部４０ｄは丸め易くなっている。
【００２３】
この臀部パッド４０の先端部４０ｄのさらに先には、乳児の腹部を押える腹保持部４５が連続して設けられている。なお、本実施形態の腹保持部４５は、全体的に、クッション材を布等のカバー体で覆って形成されている。
腹保持部４５は、臀部パッド４０の先端部４０ｄから延伸した乳児の股部を通る股通過部４６と、乳児の腹部の上に配置される腹配置部４７とを有している。
股通過部４６は、図１に示す展開した状態から、図２及び臀部パッド４０付近を図示した図６に示すように、臀部パッド４０側に折り返され、乳児の両太腿の間を通過可能な幅寸法Ｘ３とされている。この股通過部４６と臀部パッド４０と腹配置部４７とで画された空間から、乳児の脚部は出される。
股通過部４６の幅寸法Ｘ３は、乳児が脚部を広げてＭ字型に開脚した状態を保持できる寸法である。即ち、幅寸法Ｘ３は、乳児のＭ字型の脚部を無理矢理に伸ばすことが不可能な幅寸法であるのがよく、乳児の体形にもよるが、概ね９〜１４ｃｍとするのが好ましい。これにより、乳児の脚部を無理矢理に伸ばして招く股関節脱臼を防止できる。
また、この股通過部４６の縁部４６ａは、幅方向Ｘの中心に向かって凸となるように湾曲しており、これにより、使用状態において、乳児の脚の付け根ＧＲに縁部４６ａが密着するようになっている。
【００２４】
腹配置部４７は、図２及び図６に示すように、乳児の腹部の上に置かれる部分であり、当該腹部の上に配置した状態を維持できるように、背中パッド３０に取り付けられたハーネス（安全ベルト）３９と連結自在な接続部材３７を有している。
図６に示す接続部材３７は、幅方向Ｘに互いに背を向けるようにして並んだ２つの雌バックル３７ａ，３７ａであり、背中パッド３０の幅方向Ｘの両端部に設けられた２つのハーネス３９，３９の各先端部に取り付けられた雄バックル３６，３６と連結自在である。
このようにして、腹保持部４５は、背中パッド３０や臀部パッド４０と協同して、乳児の臀部や腹部周りを保持し、安定した横抱き状態を保持できる。
なお、本実施形態では好ましい形態としてハーネス３９を背中パッド３０に取り付けているが、本発明はこれに限られず、例えば臀部パッド４０にハーネス３９を取り付けても構わない。
また、ハーネス３９には、乳児が当接しても肌を痛めないように、クッション等の緩衝材３８が巻かれている。
【００２５】
腹配置部４７の端部（臀部パッド４０と反対側の端部）４７ａには、接続部材３７、及びこれに連結された雄バックル３６，３６を隠すためのカバー４９が連続して設けられている。即ち、カバー４９は端部４７ａの位置で折り返し可能であり、図６に示す展開状態から接続部材３７側に（図６のＲ方向に）折り返して、図２に示すように、接続部材３７等を隠すことができる。
図６に示すカバー４９には面ファスナー１２が設けられており、腹配置部４７の接続部材３７が取り付けられている表面の面ファスナー１９と着脱可能とされている。
【００２６】
〔肩ベルトについて〕
次に、肩ベルト５０について、図１〜図３を用いて説明する。
肩ベルト５０は、装着者の肩に斜め掛けされ、保持部材２０を吊るして支持するためのベルトであり（図１２を参照）、図３に示すように、その一方の端部５０ａと他方の端部５０ｂが、保持部材２０の幅方向Ｘの両側２０ａ，２０ｂに連結されている。
本実施形態の場合、一方の端部５０ａが保持部材２０の幅方向Ｘの一方側２０ａに、他方の端部５０ｂが保持部材２０の幅方向Ｘの他方側２０ｂに、夫々接続されている。そして、図３（Ａ）に示すように、一方の端部５０ａが頭部パッド２１側に配置されている場合は、他方の端部５０ｂは臀部パッド４０側に配置され、図３（Ｂ）に示すように、一方の端部５０ａが臀部パッド４０側に配置されている場合は、他方の端部５０ｂは頭部パッド２１側に配置可能とされている。このように、一方及び他方の端部５０ａ，５０ｂの配置を変更する構造については、後で説明する。なお、ここにいう「頭部パッド２１側」と「臀部パッド４０側」とは相対的な位置関係であり、必ずしも頭部パッド２１及び臀部パッド４０に配置されていることを意味するものではない。
【００２７】
本実施形態の肩ベルト５０は、第１〜第３の肩帯部５１，５２，５３を連結して形成されている。即ち、肩ベルト５０は、保持部材２０の幅方向Ｘの一方側２０ａに連結される第１の肩帯部５１、保持部材２０の幅方向Ｘの他方側２０ｂに連結される第２の肩帯部５２、第１の肩帯部５１と第２の肩帯部５２とを繋ぐようにした第３の肩帯部５３とを有している。
【００２８】
第１の肩帯部５１は、その一方の端部が上述した肩ベルト５０の一方の端部５０ａであり、その反対側の端部５１ｂは第３の肩帯部５３と着脱可能に連結されている。具体的には、第１の肩帯部５１の端部５１ｂと第３の肩帯部５３とは、ベルトの長さが調整可能であって連結可能なバックル等のベルト長調整具２９により連結されている。
第２の肩帯部５２は、その一方の端部が上述した肩ベルト５０の他方の端部５０ｂであり、その反対側の端部５２ｂは第３の肩帯部５３と着脱可能に連結されている。具体的には、第２の肩帯部５２の端部５２ｂと第３の肩帯部５３とは、ベルトの長さが調整可能であって連結可能なバックル等のベルト長調整具２５により連結されている。
【００２９】
これら第１の肩帯部５１の一方の端部（肩ベルト５０の一方の端部）５０ａ、及び第２の肩帯部５２の一方の端部（肩ベルト５０の他方の端部）５０ｂは、図３に示すように、保持部材２０の下面に連結されているが、使用状態では、図１及び図２に示すように、肩ベルト５０は上面側に回されてから、装着者の肩に斜め掛けされる。
そうすると、使用状態において、第１の肩帯部５１及び第２の肩帯部５２は、頭部パッド２１の端部２１ａ，２１ｂ、臀部パッド４０の端部４０ａ，４０ｂを起立させることができ、これにより乳児を包み込むように保持できる。
【００３０】
第３の肩帯部５３は装着者の肩に掛けられる肩パッド部とも言え、内側にスポンジや綿等のクッション材を有し、装着者の肩にかかる負担の軽減を図っている。また、図３に示すように、第３の肩帯部５３は一方向に湾曲して、肩に掛けられた際に、肩の形状に密着するようになっている。
なお、第１の肩帯部５１の一方の端部５０ａ側、及び第２の肩帯部５２の一方の端部５０ｂ側には、乳児に当接しても肌を痛めないように、クッション等の緩衝材４４が巻かれている。
【００３１】
〔保持部材と肩ベルトとの連結構造〕
次に、上述した保持部材２０と肩ベルト５０との連結構造について、図３、図５、及び、図３（Ａ）の概略Ｃ−Ｃ断面図である図７、図３の連結部６０の中央部を捲った状態の図８を用いて説明する。
保持部材２０は、図３に示すように、幅方向Ｘの両側２０ａ，２０ｂに、肩ベルト５０の一方及び他方の端部５０ａ，５０ｂが連結される一対の連結部６０，６１を有している。
この一対の連結部６０，６１は、載置した乳児の身長方向に沿って延伸した帯状であって、保持部材２０の下面に配置されている。そして、図３、図５、及び図７に示すように、肩ベルト５０の一方及び他方の端部５０ａ，５０ｂは、環状になって連結部６０，６１に巻き付いて連結されているが、連結部６０，６１に対して固定はされていない。これにより、肩ベルト５０の一方及び他方の端部５０ａ，５０ｂは、連結部６０，６１をガイドにして、連結部６０，６１の長手方向（図３の略Ｙ方向：保持部材２０の略長手方向）に沿ってスライド可能となる。
【００３２】
以下、連結部６０，６１について説明するが、連結部６０と連結部６１とは同様の構成であるため、以下、特段の言及がない限り、連結部６０を説明する。
連結部６０は、図３に示すように、その両端部６０ａ，６０ｂが保持部材２０に固定されている。
具体的には、端部６０ａは頭部パッド２１の先端部（保持部材２０の長手方向Ｙの頭部パッド２１側の先端部）２１ｄに、端部６０ｂは臀部パッド４０の先端部（より具体的には、図１の板部材３１の長手方向Ｙの先）４０ｄに、それぞれ縫合されている。
連結部６０は、その縫合された部分以外は保持部材２０に縫合ないし接合されてはいないが、長手方向（載置された乳児の身長方向）の中央部６０ｃが着脱手段６２により保持部材２０と着脱可能とされている。本実施形態の着脱手段６２は、図７及び図８に示すように、連結部６０と保持部材２０の本体の面の夫々に設けられた面ファスナー６２ａ，６２ｂである。これにより、使用時において、連結部６０の中央部６０ｃは保持部材２０に貼着し、連結部６０を位置決めでき、また、肩ベルト５０の一方及び他方の端部５０ａ，５０ｂが不要にスライドすることを防止できる。なお、本発明における連結部６０と保持部材２０との当該着脱手段は、例えばホック・スナップ等であってもよい。
【００３３】
連結部６０の幅寸法Ｗ１は装着者が把持できる幅寸法とされている。これにより、使用状態を示す図１２及び図１３に示すように、親等の装着者は連結部６０，６１を手で把持することで、保持部材２０が持ち易くなって負担が軽減される。この際、上述のように、使用時、連結部６０，６１の長手方向の中央部は保持部材２０に貼着しているため、装着者の手が着脱手段６２のない頭部パッド２１或いは頭部パッド２１と背中パッド３０との境界付近における連結部６１を自然と把持することになり、これにより、装着者ＭＡの腕が乳児ＢＡの首部から頭部にかけて下支えしながら連結部６０を把持するという正しい姿勢に導き、より安定した横抱き状態を保持できる。
このような連結部６０，６１は柔軟性を有しており、本実施形態の場合、図７に示すように、布製の袋状部９５の中に綿やスポンジ等のクッション材９６が収容され、把持した手が痛くなることを防止している。
さらに、図３、図５、及び図７に示す環状になって連結部６０，６１に巻き付いた肩ベルト５０の一方及び他方の端部５０ａ，５０ｂは、その内周側面５０ｃ（図５及び図７参照）の環状方向の寸法が、連結部６０，６１の周方向の側面寸法に比べて小さく形成されている。これにより、連結部６０，６１に巻き付けられた一方及び他方の端部５０ａ，５０ｂは、連結部６０を若干絞るようにしており、無用に連結部６０，６１に沿ってスライドすることを防止できる。
なお、図３に示すように、連結部６０と連結部６１とは、互いに略平行ではあるが、臀部パッド４０側で最も接近し、頭部パッド２１側に向うに従って、除々に互いの間隔Ｗが広げられている。
【００３４】
〔補助ベルトについて〕
次に、補助ベルト６５について、図１〜図３、及び図３（Ａ）のＤ矢視図である図９を用いて説明する。
補助ベルト６５は、横抱き状態の安定性を向上させるためのベルトであり、肩ベルト５０と協同して横抱き状態を保持するようになっている。
補助ベルト６５は、肩ベルト５０及び保持部材２０（連結部６０，６１を含む）に接続されるようになっている。本実施形態の補助ベルト６５は、肩ベルト５０、及び連結部６０に着脱可能とされている。
【００３５】
具体的には、補助ベルト６５の一方の端部６５ａは、図９に示すように、丸め乃至折り返して環状にした状態を、スナップ等の留め具６７で維持することができ、当該環状にして連結部６０に巻きつけて、連結部６０に連結される。このように補助ベルト６５の一方の端部６５ａは、留め具６７で着脱可能なため、連結部６０のどの位置にも連結でき、例えば、図３（Ａ）に示すように連結部６０の臀部パッド４０側や、図３（Ｂ）に示すように連結部６１の臀部パッド４０側に連結できる。
【００３６】
補助ベルト６５の他方の端部６５ｂは、スナップ等の留め具６６により、第１の肩帯部５１や第２の肩帯部５２に着脱可能とされている。本実施形態の場合、図３（Ａ）（Ｂ）に示すように、第１の肩帯部５１と第２の肩帯部５２の双方に留め具６６の例である凹スナップ６６ａが設けられており、従って、留め具６６の例である凸スナップ６６ｂを有する補助ベルト６５の他方の端部６５ｂを、第１の肩帯部５１や第２の肩帯部５２に連結できるようになっている（図２参照）。
このようにして、図２に示すように、補助ベルト６５の保持部材２０に接続された一方の端部６５ａ、肩ベルト５０の一方の端部５０ａ及び他方の端部５０ｂの三点を結ぶ仮想線が三角形状とされ、保持部材２０を三点で支持して、安定した横抱き状態を保持できるようにしている。
【００３７】
この点、本実施形態において、補助ベルト６５の他方の端部６５ｂは、肩ベルト５０の臀部パッド４０側に連結されている。
具体的には、図３（Ａ）のように、肩ベルト５０の一方の端部５０ａを連結部６０の頭部パッド２１側に、他方の端部５０ｂを連結部６１の臀部パッド４０側に配置した場合、補助ベルト６５の一方の端部６５ａを連結部６０の臀部パッド４０側に接続し、その他方の端部６５ｂを、臀部パッド４０側にある第２の肩帯部５２に接続するのが好ましい（このように接続した状態が図２及び図１２の状態である）。
また、図３（Ｂ）のように、肩ベルト５０の一方の端部５０ａを連結部６０の臀部パッド４０側に、他方の端部５０ｂを連結部６１の頭部パッド２１側に配置した場合、補助ベルト６５の一方の端部６５ａを連結部６１の臀部パッド４０側に接続し、その他方の端部６５ｂを、臀部パッド４０側にある第１の肩帯部５１に接続するのが好ましい（このように接続した状態が図１３の状態である）。
なお、補助ベルト６５の一方及び他方の端部６５ａ，６５ｂを除く領域には、乳児の肌が当接しても痛めないように、クッション等の緩衝材を巻くのが好ましい。
【００３８】
〔子守帯の使用方法〕
次に、上述した第１の実施形態に係る子守帯１０の使用方法を、主に図１０〜図１２を用いて説明する。
子守帯１０を使用する際は、その準備として、子守帯１０を裏返し、図３（Ａ）、又は図３（Ｂ）に示すように、肩ベルト５０と補助ベルト６５を連結部６０，６１に適正に配置するのが好ましい（以下、「使用準備段階」という）。
【００３９】
具体的には、肩ベルト５０に装着者の右肩に斜め掛けする場合は、図３（Ａ）に示す状態とするのが好ましい。即ち、装着時に幅方向Ｘの装着者側に配置される図３（Ａ）の連結部６０の頭部パッド２１側に、肩ベルト５０の一方の端部５０ａを配置する。肩ベルト５０の他方の端部５０ｂは、もう片方の連結部６１の臀部パッド４０側に配置する。また、補助ベルト６５は、連結部６０の臀部パッド４０側に、肩ベルト５０の他方の端部５０ｂに対向するように連結する。
これに対して、肩ベルト５０に装着者の左肩に斜め掛けする場合は、図３（Ｂ）に示す状態とするのが好ましい。即ち、図３（Ｂ）の連結部６１（装着時に幅方向Ｘの装着者側に配置される連結部）の頭部パッド２１側に、肩ベルト５０の他方の端部５０ｂを配置する。肩ベルト５０の一方の端部５０ａは、もう片方の連結部６０の臀部パッド４０側に配置する。また、補助ベルト６５は、連結部６１の臀部パッド４０側に、肩ベルト５０の一方の端部５０ａに対向するように連結する。
このように、肩ベルト５０を右肩・左肩のいずれに掛ける場合も、連結部６０，６１の乳児の頭部側に配置された肩ベルト５０の一方の端部５０ａ又は他方の端部５０ｂは、連結部６０，６１における幅方向Ｘの装着者側に配置される。従って、使用時に装着者が乳児の顔を見る際、図１２及び図１３に示すように、肩ベルト５０がその視認の邪魔になる事態を防止でき、乳児と装着者とのスキンシップを図ることができる。
なお、この準備段階では、補助ベルト６５と肩ベルト５０とは未だ連結させない。
【００４０】
その後、図１０（Ａ）に示すように、保持部材２０の上面を上にし、展開してテーブル等の上に置く。なお、図１０（Ａ）は肩ベルト５０を装着者の右肩に掛けて使用する場合を図示している。
そして、保持部材２０の上に乳児ＢＡを載せる。即ち、頭部パッド２１の上に乳児ＢＡの頭部を、背中パッド３０の上に乳児ＢＡの背中を、臀部パッド４０の上に乳児ＢＡの臀部を載せ、乳児ＢＡの両足の間に股通過部４６を配置する。
【００４１】
次いで、図１０（Ｂ）に示すように、股通過部４６を折り返して乳児ＢＡの股の間を通し、腹配置部４７を乳児ＢＡの腹部の上に載せる。
そして、背中パッド３０から延びるハーネス３９の先端にある雄バックル３６を、腹配置部４７の上に付けられた雌バックル３７ａに接続した後、図２のようにカバー４９を折り返して、当該バックル類を隠す。
【００４２】
次いで、図１１（Ａ）に示すように、肩ベルト５０と補助ベルト６５とを連結する。具体的には、肩ベルト５０を右肩に掛けて使用する図１１（Ａ）の場合、連結部の臀部パッド４０側に配置された第２の肩帯部５２に設けられた凹スナップ６６ａと、補助ベルト６５の先端部に設けられた凸スナップ６６ｂとを留める。なお、このような肩ベルト５０と補助ベルト６５との連結手段はスナップに限られず、バックル等であってもよい。
【００４３】
次いで、図１１（Ｂ）に示すように、肩ベルト５０に装着者ＭＡの左肩ＬＳと頭ＨＤを通して右肩に掛ける。この際、頭部パッド２１の下面側に装着者ＭＡの左腕ＬＡを通して、その左手ＬＨで幅方向Ｘの外側（装着者ＭＡ側ではない側）の連結部６１の頭部パッド２１側を把持するのが好ましい。その後、この左手ＬＨで連結部６１を把持しながら（より好ましくは、同時に右手で臀部パッドを下支えながら）、図１２に示すように、寝かせた状態の乳児を抱えて、所謂横抱き状態を保持する。
【００４４】
これにより、図１２に示すように、肩ベルト５０を斜め掛けして、乳児ＢＡの臀部側については、肩ベルト５０の他方の端部５０ｂ及び補助ベルト６５の２点、乳児ＢＡの頭部側については、肩ベルト５０の一方の端部５０ａ（図２参照）の１点、計３点で保持部材２０を支持できる。
また、左手ＬＨで連結部６１の頭部パッド２１側を把持することにより、４点（乳児ＢＡの臀部側の２点、乳児ＢＡの頭部側の２点）で保持部材２０を支持して、より安定した横抱き状態を保持できる。この際、連結部６１の中央部は着脱手段６２で保持部材２０に貼着しているため、装着者ＭＡの左手ＬＨは、着脱手段６２のない頭部パッド２１或いは頭部パッド２１と背中パッド３０との境界付近における連結部６１を自然に把持することになる。従って、装着者ＭＡの腕が乳児ＢＡの首部から頭部にかけて下支えするという好ましい姿勢に導くことができる。
さらに、このように保持部材２０を支持したとしても、装着者ＭＡは乳児ＢＡの顔を肩ベルト５０等で遮られることなく見ることができ、乳児と装着者とのスキンシップを図ることができる。
なお、乳児ＢＡを横抱きした後、肩ベルト５０の長さが不適切である場合は、ベルト長調整具２５から出た第２の肩帯部５２の部分を引っ張る等して、肩ベルト５０の長さを調整できる。
【００４５】
以上は、肩ベルト５０を右肩ＲＳに斜め掛けした場合であるが、装着者の利き手の違いや疲労の緩和などの理由により、子守帯１０は、肩ベルト５０に左肩ＬＳに斜め掛けすることもできる。
左右逆に肩ベルト５０を掛けなおす場合は、使用準備段階において、図３（Ａ）に示す肩ベルト５０及び補助ベルト６５の配置状態から、図３（Ｂ）に示す肩ベルト５０及び補助ベルト５０の配置状態のように左右を逆転させればよく、この際、肩ベルト５０を保持部材２０から取り外すことなく、図３（Ｂ）に示す状態に変化させることができる。
具体的には、図３（Ａ）の補助ベルト６５を連結部６０から取外すと共に、面ファスナー６２で付着している連結部６０の中央部６０ｃと保持部材２０の下面とを剥がし、その後、肩ベルト５０の一方の端部５０ａを矢印Ｆ１方向にスライドさせて、図３（Ｂ）に示すように、一方の端部５０ａを臀部パッド４０側に配置する。この際、一方の端部５０ａは連結部６０の周側面を囲む環状であるため、連結部６０に沿ってスライドさせて、容易に臀部パッド４０側に配置できる。
また、図３（Ａ）の肩ベルト５０の他方の端部５０ｂを、連結部６１に沿って矢印Ｆ２方向にスライドさせ、図３（Ｂ）に示すように、頭部パッド２１側に配置する。
そして、補助ベルト６５の一方の端部６５ａを環状にして連結部６１の臀部パッド４０側に巻きつけて、スナップ等の留め具６７で連結部６１に連結する。
その後は、図１０〜図１１で既に説明したステップで子守帯１０を装着すれば（但し、左右方向の動作は逆）、図１３に示すように、肩ベルト５０を左肩ＬＳに斜め掛けして、図１２と同様の作用効果を発揮しながら、横抱き状態を保持できる。
【００４６】
次に、本第１の実施形態に係る子守帯１０の片付け方法について、図１４及び図１５を用いて説明する。
使い終わった子守帯１０は、図１４（Ａ）に示すように、下面１０ａを上にして、肩ベルト５０の一方及び他方の端部５０ａ，５０ｂ、及び補助ベルト６５の一方の端部６５ａを臀部パッド４０の領域にスライド等させて配置する。
【００４７】
次いで、図１４（Ｂ）に示すように、上面１０ｂを上して、肩ベルト５０及び補助ベルト６５を畳む等して、保持部材２０の中で最も大きな幅寸法Ｘ１を有する臀部パッド４０の上に置く。
次いで、図１５（Ａ）に示すように、頭部パッド２１を折り返して、肩ベルト及び補助ベルトを覆い隠すようにして、臀部パッド４０の上に置く。
次いで、図１５（Ｂ）に示すように、腹配置部４７を折り返して、頭部パッド２１の上に重ね、その後、背中パッドから出たハーネス３９に設けられた雄バックル３６と腹配置部４７に設けられた雌バックル３７ａとを接続する。これにより、図１５（Ｂ）に示すように、子守帯１０を丸めて小さくできる。
【００４８】
本第１の実施形態の子守帯１０は以上のように構成され、寝かせた状態の乳児の姿勢を保持する保持部材２０は、幅方向Ｘの両側２０ａ，２０ｂに、肩ベルト５０の一方及び他方の端部５０ａ，５０ｂが連結される連結部６０，６１を有している。ここで、連結部６０，６１は、乳児の身長方向に沿って延伸した帯状であり、そして、肩ベルト５０の一方及び他方の端部５０ａ，５０ｂは、この連結部６０，６１に沿ってスライド可能である。従って、肩ベルト５０を連結部６０，６１から取り外すことなく、左肩に斜め掛けする状態と、右肩に斜め掛けする状態とを、容易に切り替えることができる。
【００４９】
〔第２の実施形態〕
図１６〜図１９は本発明の第２の実施形態に係る子守帯１００であり、図１６はその上面側から視認した斜視図、図１７は下面図、図１８は連結部の部分拡大斜視図（図１７のＥ矢視図）、図１９は使用状態を示す図である。なお、図１６では各ベルト５０，８０やハーネス９２を連結して、使用状態と同様の状態にして図示しているが、図１７では各ベルト５０，８０やハーネス９２を連結せずに図示している。
これらの図で図１〜図１５の実施形態で用いた符号と同一の符号を付した箇所は共通する構成であるから、重複した説明は省略し、以下、相違点を中心に説明する。
第２の実施形態の子守帯１００は、第１の実施形態の子守帯１０と比べて、連結部６０，６１と肩ベルト５０との連結構造、補助ベルト８０、補助ベルト８０と肩ベルト５０との連結構造、ハーネス９２等、種々の点で異なる。
【００５０】
〔連結部と肩ベルトとの連結構造〕
先ず、連結部６０，６１と肩ベルト５０との連結構造について説明する。
子守帯１００は、第１の実施形態と同様、図１７に示すように、幅方向Ｘの両側２０ａ，２０ｂに連結部６０，６１を有し、この連結部６０，６１の表面には、図１７及び図１８に示すように、その長手方向Ｙに沿って、肩ベルト５０の一方及び他方の端部５０ａ，５０ｂのスライド方向を容易に案内するための帯状のガイド５８が設けられている。
【００５１】
図のガイド５８は、長手方向Ｙに沿った薄いシート状であって、その長手方向Ｙの寸法は連結部６０，６１と同様であるが、幅寸法Ｘ４が連結部６０，６１の幅寸法Ｘ５に比べて小さく形成されている。
ガイド５８の両端部５８ａ，５８ｂは連結部６０，６１に固定されているのに対して、それ以外の領域５８ｃは連結部６０，６１に固定されていない。この両端部以外の領域５８ｃは、外力を加えない限り、連結部６０，６１と密着しているのが好ましい。
なお、ガイド５８は、少なくとも連結部６０，６１に比べて柔軟性が低く、高い剛性を有している（但し、厚みの薄い分、所要の可撓性を有する）。このようなガイド５８の材料としては、ポリエステルからなる糸材を織ってテープ状にしたシートベルト素材などがある。
【００５２】
そして、肩ベルト５０の一方及び他方の端部５０ａ，５０ｂは、連結部６０，６１だけではなくガイド５８にも接続されている。以下、一方の端部５０ａの接続構造と他方の端部５０ｂの接続構造は同様であるため、特段の事由がない限り、一方の端部５０ａの接続構造についてのみ説明する。
一方の端部５０ａは、図１８に示すように、ガイド５８と連結部６０との間に通すようにして、連結部６０に巻き付いた環状部７５を有している。環状部７５の表面には両端部７４ａ，７４ｂが固定されたテープ状部７４が設けられており、このテープ状部７４と環状部７５でガイド５８を挟んでいる（テープ状部７４と環状部７５の間をガイド５８が通っている）。
これにより、一方の端部５０ａがスライドする際、連結部６０よりも剛性の高いガイド５８が一方の端部５０ａを長手方向Ｙに案内して、柔軟性を有する連結部６０に対して食い込むことを防止しつつ、より容易にスライドさせることができる。
また、一方の端部５０ａは、スライドする際、連結部６０との間の摩擦だけではなく、ガイドベルト５８との間でも摩擦が生じるため、無用にスライドしてしまう事態も有効に防止できる。
【００５３】
なお、図１７に示す連結部６０，６１は、頭部パッド２１には配設されず、背中パッド３０及び臀部パッド４０の領域にのみ配設され、そして、背中パッド３０との接続位置については、載置された乳児の首の位置周辺とされている。
【００５４】
〔補助ベルト〕
次に、補助ベルト８０について説明する。
本第２の実施形態に係る補助ベルト８０は、第１の実施形態と同様、横抱き状態の安定性を向上させるためのベルトではあるが、その構造が第１の実施形態と異なっている。
即ち、図１７に示すように、補助ベルト８０は１本であり、その延伸する方向を略幅方向Ｘの両側のいずれかに切り替えることが可能とされている。
【００５５】
具体的には、補助ベルト８０は、頭部パッド２１の下面に固定された固定部８０ａと、この固定部８０ａより先であって、頭部パッド２１に固定されていない非固定部８０ｂとを有している。
非固定部８０ｂは、固定部８０ａとの境界部８０ｃで図１７のＲ１方向に折り返して、略幅方向Ｘのいずれかの方向に延伸させることができる。そして、この延伸した非固定部８０ｂは、頭部パッド２１の下面の幅方向Ｘの両側に設けられた位置決め手段８２により位置決めされ、これにより略幅方向Ｘのいずれかの方向に延伸した状態が維持される。
図の位置決め手段８２は、スナップ８３が取付けられた自由端を有し、このスナップ８３を頭部パッド２１に留めて、頭部パッド２１と協同してリング状を形成し、このリング状の中に非固定部８０ｂを通すことで、非固定部８０ｂを位置決めできる。なお、位置決め手段８２は、このような手段に限られるものではなく、例えば、非固定部８０ｂ自体にスナップ等を設けて、頭部パッド２１に対して着脱可能に接続するようにしてもよい。
【００５６】
このような非固定部８０ｂは、所定の長さを有し、図１６に示すように乳児ＢＡが載置される上面側に回されて、その先端部付近に設けられた留め具８５で、肩ベルト５０に着脱可能に接続することができる。図１６の留め具８５は、補助ベルト８０の長さを調整可能なバックル等である。従って、例えば留め具８５より先の補助ベルトの先端部８０ｃを引っ張って補助ベルト８０を短くし、図の二点鎖線で示すように、頭部パッド２１に所定の角度θ１を付けて、乳児の頭部を起こすことができる。この点、補助ベルト８０は、頭部パッド２１の幅方向Ｘのいずれか一方の側（図１６の符号２０ａ又は２０ｂのいずれか一方）からのみ延伸するようになっているため、当該いずれか一方の側のみに所定の角度θ１が付けられる。従って、使用状態において、当該いずれか一方の側を装着者側ではない外側にして、補助ベルト８０の長さを短くすれば、乳児ＢＡの顔を装着者側に向かせて、例えば、装着者に包み込まれるような形態で乳児ＢＡを抱くこともできる。
【００５７】
〔補助ベルトと肩ベルトとの連結構造〕
次に、この補助ベルト８０と肩ベルト５０との連結構造について説明する。
図１６及び図１７に示すように、子守帯１００は、肩ベルト５０に環状に巻き付くリング状部９０を有している。リング状部９０には留め具８６が取り付けられており、この留め具８６と、補助ベルト８０の非固定部８０ｂの先端部付近に設けられた留め具８５とが着脱自在とされている。図の留め具８５，８６はバックルであるが、本発明の構成はこれに限られるものではない。
このリング状部９０は、肩ベルト５０に固定されておらず、肩ベルト５０の長手方向に沿ってスライド可能とされ、肩ベルト５０の一方の端部５０ａ側、及び他方の端部５０ｂ側の双方に移動させることができる。なお、図の場合は、肩ベルト５０は長さ調整できるように、バックル等のベルト長調整具３３で連結するようにした第１の肩ベルト５０−１と第２の肩ベルト５０−２を有している。このため、肩ベルト５０としっかり密着したリング状部９０は肩ベルト５０に対して着脱可能であり、第１の肩ベルト５０−１と第２の肩ベルト５０−２との間を移動する際は、一旦、肩ベルト５０から取り外し、再度、取り付けてからスライドして移動させるようにしている。本第２の実施形態の場合、図１６に示すように、より安定した支持構造とするため、リング状部９０は肩ベルト５０の頭部パッド２１側に配置され、補助ベルト８０は肩ベルト５０の頭部パッド２１側に連結される。そして、補助ベルト８０は上述のように長さ調整でき、また、肩ベルト５０への留め位置も調整できるので、水平方向（図のＸＹ面）に対する乳児の種々の傾きを調整できるし、また、装着者及び乳児の互いの顔を視認する際の視界確保の調整ともなる。
なお、本第２の実施形態では、肩ベルト５０に沿って移動可能な一つのリング状部９０と補助ベルト８０とを連結させているが、本発明はこのような態様に限られるものではなく、例えば、肩ベルト５０に予め複数のバックル等の留め具８６（例えば、第１の肩ベルト５０−１と第２の肩ベルト５０−２の夫々に留め具８６）を設けるようにしてもよい。
【００５８】
〔ハーネス等〕
また、第２の実施形態の子守帯１００は、ハーネス（安全ベルト）９２の構造も第１の実施形態の子守帯と比べて異なっている。即ち、ハーネス９２は、図１６及び図１７に示すように、頭部パッド２１の下面に接続され、幅方向Ｘの両側から延伸した一対のハーネス９２−１，９２−２を有している。一対のハーネス９２−１，９２−２は、乳児ＢＡの両肩を通って、腹配置部４７に設けられたバックル等の留め具９３に着脱可能に接続される。これにより、乳児ＢＡの両肩から腹部にかけてハーネス９２で押え、乳児ＢＡの子守帯１００からの脱落を有効に防止できる。
また、第２の実施形態の子守帯１００は、肩ベルト５０が乳児ＢＡと接触する可能性のある領域に、柔軟性のあるパッド９４を有し、これにより乳児ＢＡの肌を保護している。
【００５９】
本第２の実施形態の子守帯１００は以上のように構成され、第１の実施形態の子守帯１０と同様に、肩ベルト５０の一方の端部５０ａと他方の端部５０ｂが連結部６０，６１に沿ってスライド可能であるため、肩ベルト５０を取り外すことなく、左肩の斜め掛けと右肩の斜め掛けとを切り替えることができる。
さらに、図１６及び図１９に示すように、補助ベルト８０は頭部パッド２１に連結されているため、使用状態では乳児ＢＡの頭部を支持することとなる。また、肩ベルト５０の頭部パッド２１側に配置される一方の端部５０ａは、図の場合、背中パッド３０の領域に連結され、他方の端部５０ｂは臀部パッド４０の領域に連結される。これにより、補助ベルト８０で頭部パッド２１を、肩ベルト５０で背中パッド３０と臀部パッド４０をそれぞれ支持し、かつ、この支持する三点（図１７の符号５０ａ，５０ｂ，８２の部分）を結ぶ仮想線が三角形状となるため、安定した横抱き状態を保持できる。
また、授乳時には、外側（装着者とは反対側）の補助ベルト８０の長さを短くして、頭部パッド２１及びこれに載置された乳児ＢＡの頭部を装着者側に近づけることができ、授乳を楽にすることもできる。
そして、補助ベルト８０は、図１７のようにＲ１方向に折り返されて、略幅方向Ｘの延伸する方向を切り替えることができ、かつ、リング状部９０により、肩ベルト５０に連結する補助ベルト８０の端部を、肩ベルト５０の一方の端部５０ａ側、及び他方の端部５０ｂ側のいずれにも連結することができる。このため、肩ベルト５０の一方及び他方の端部５０ａ，５０ｂを連結部６０，６１に沿ってスライドさせて、左肩と右肩のいずれに斜め掛けしても、上述のような効果（三点支持による安定した横抱き状態、楽な授乳）を発揮することができる。
【００６０】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
例えば、第１の実施形態の使用態様では、肩ベルト５０の一方の端部５０ａ或いは他方の端部５０ｂのいずれかが頭部パッド２１に配置されるが、本発明は肩ベルト５０が斜め掛けできれば、これに限られるものではなく、例えば、一方の端部５０ａが背中パッド３０に配置されてもよい。
また、第１の実施形態では、連結部６０，６１は柔軟性を有しているが、硬度の高い例えばアルミニウム等の部材を利用してもよい。この際、この硬度の高い連結部６０，６１同士をつなげて枠状又はＵ字状にし、その型により保持部材２０の適切な形状を保持するようにしてもよい。
また、第２の実施形態の連結部６０，６１は、背中パッド３０及び臀部パッド４０の領域だけではなく、頭部パッド２１の領域にも配設されてよい。
また、第２の実施形態の補助ベルト８０は、図１９の一点鎖線で示すように、肩ベルト５０の臀部パッド４０側に連結してもよく、これにより、補助ベルト８０が乳児ＢＡの顔と装着者ＭＡの顔の間に介在することを極力回避して、スキンシップを図ることができる。
また、第１及び第２の実施形態の肩ベルト５０の一方及び他方の端部５０ａ，５０ｂは、連結部６０，６１に接続されて、切断しない限り分離不可能にしているが、連結部６０，６１と着脱可能にしても構わない。
また、第１及び第２の実施形態の連結部６０，６１は保持部材２０の下面に配置されているが、本発明はこれに限られるものではなく、例えば幅方向Ｘの両側面に配置されてもよい。
また、第１及び第２の実施形態の補助ベルト６５，８０は連結部６０，６１に接続するようになっているが、本発明はこれに限られるものではなく、例えば保持部材２０の本体に接続するようになっていてもよい。
【符号の説明】
【００６１】
１０，１００・・・子守帯、２０・・・保持部材、５０・・・肩ベルト、５０ａ，５０ｂ・・・一方及び他方の端部、６０，６１・・・連結部、６５，８０・・・補助ベルト、３９，９２・・・ハーネス（安全ベルト）
【図１】
0006465267.tif 000002
【図２】
0006465267.tif 000003
【図３】
0006465267.tif 000004
【図４】
0006465267.tif 000005
【図５】
0006465267.tif 000006
【図６】
0006465267.tif 000007
【図７】
0006465267.tif 000008
【図８】
0006465267.tif 000009
【図９】
0006465267.tif 000010
【図１０】
0006465267.tif 000011
【図１１】
0006465267.tif 000012
【図１２】
0006465267.tif 000013
【図１３】
0006465267.tif 000014
【図１４】
0006465267.tif 000015
【図１５】
0006465267.tif 000016
【図１６】
0006465267.tif 000017
【図１７】
0006465267.tif 000018
【図１８】
0006465267.tif 000019
【図１９】
0006465267.tif 000020